(57)【要約】【課題】大きなメガネであっても安定的に保持することができるメガネホルダを提供する。【解決手段】メガネホルダ１００は、ホルダ本体１０１に下端支持体１０３、左側ホールドアーム１０５ａ、右側ホールドアーム１０５ｂおよび安定突起１０７をそれぞれ備えてクマの外観を模したぬいぐるみで構成されている。ホルダ本体１０１における前面には、メガネ９０が宛がわれる宛がい面１０２が形成されている。下端支持体１０３は、ホルダ本体１０１の下端部から前方に張り出した状態でホルダ本体１０１に対して可動的に２つ設けられている。左側ホールドアーム１０５ａおよび右側ホールドアーム１０５ｂは、人手によって屈曲変形可能に形成されてホルダ本体１０１の両側部からホルダ本体１０１の中央部に向かって屈曲しながらそれぞれ延びて形成されている。安定突起１０７は、ホルダ本体１０１の前面における上部中央部に山状に突出して形成されている。【選択図】  図１
0003214127.tif 000002
【実用新案登録請求の範囲】
【請求項１】
メガネを宛がうことができる大きさに形成されて垂直方向に延びる宛がい面を有する柱状のホルダ本体と、
前記ホルダ本体における前記宛がい面の側部側から同宛がい面上に延びて前記メガネを前記宛がい面とともに挟んで着脱自在に保持するホールドアームと、
前記ホルダ本体の下端部から張り出して形成されて前記宛がい面に宛がわれる前記メガネの下端部を支持する下端支持体とを有し、
前記ホールドアームは、
人手によって曲げ変形可能に形成されて前記下端支持体によって支持される前記メガネの少なくとも中央部から上方となる位置に設けられることを特徴とするメガネホルダ。
【請求項２】
請求項１に記載したメガネホルダにおいて、
前記下端支持体は、
前記ホルダ本体に対して変位自在に設けられていることを特徴とするメガネホルダ。
【請求項３】
請求項１または請求項２に記載したメガネホルダにおいて、
前記ホールドアームは、
前記ホルダ本体の両側部側から同ホルダ本体の中央部側にそれぞれ延びる左側ホールドアームと右側ホールドアームとで構成されており、
前記左側ホールドアームおよび前記右側ホールドアームは、
互いの先端部に同各先端部を互いに着脱自在に連結するためのアーム連結具がそれぞれ設けられていることを特徴とするメガネホルダ。
【請求項４】
請求項３に記載したメガネホルダにおいて、
前記アーム連結具は、
前記左側ホールドアームと前記右側ホールドアームとを互いに上下方向に重ねた状態で着脱自在に連結することを特徴とするメガネホルダ。
【請求項５】
請求項１ないし請求項４のうちのいずれか１つに記載したメガネホルダにおいて、さらに、
前記ホルダ本体における前記宛がい面の上部中央部に張り出した状態で安定突起が形成されていることを特徴とするメガネホルダ。
【請求項６】
請求項１ないし請求項５のうちのいずれか１つに記載したメガネホルダにおいて、
前記宛がい面は、
前記メガネに付着した汚れを拭き取るための布で構成されていることを特徴とするメガネホルダ。
【請求項７】
請求項１ないし請求項６のうちのいずれか１つに記載したメガネホルダにおいて、
前記ホールドアームは、
少なくとも前記宛がい面に対向する部分が前記メガネに付着した汚れを拭き取るための布で構成されていることを特徴とするメガネホルダ。
【請求項８】
請求項１ないし請求項７のうちのいずれか１つに記載したメガネホルダにおいて、
前記ホルダ本体は、動物の胴体を模して構成されており、
前記ホールドアームは、動物の前足を模して構成されており、
前記下端支持体は、動物の後ろ足を模して構成されていることを特徴とするメガネホルダ。
【考案の詳細な説明】
【技術分野】
【０００１】
本考案は、メガネを着脱自在に保持するメガネホルダに関する。
【背景技術】
【０００２】
従来から、メガネを着脱自在に保持するメガネホルダがある。例えば、下記特許文献１には、ワニの外観を模したぬいぐるみ本体部におけるワニの口に相当する開口部からメガネの一部を挿入してメガネの他の一部を露出させた状態で保持することができるメガネホルダが開示されている。
【先行技術文献】
【特許文献】
【０００３】
【特許文献１】実用新案登録第３１３２２０３号公報
【０００４】
しかしながら、上記特許文献１に記載されたメガネホルダにおいては、メガネを起立させた状態でメガネの下側半分を保持する構成のため、特に大きなメガネを保持する際の安定性に欠けるという問題があった。
【０００５】
本考案は上記問題に対処するためなされたもので、その目的は、大きなメガネであっても安定的に保持することができるメガネホルダを提供することにある。
【考案の概要】
【０００６】
上記目的を達成するため、本考案の特徴は、メガネを宛がうことができる大きさに形成されて垂直方向に延びる宛がい面を有する柱状のホルダ本体と、ホルダ本体における宛がい面の側部側から同宛がい面上に延びてメガネを宛がい面とともに挟んで着脱自在に保持するホールドアームと、ホルダ本体の下端部から張り出して形成されて宛がい面に宛がわれるメガネの下端部を支持する下端支持体とを有し、ホールドアームは、人手によって曲げ変形可能に形成されて下端支持体によって支持されるメガネの少なくとも中央部から上方となる位置に設けられることにある。この場合、ホールドアームにおける曲げ変形は、弾性変形であってもよいし、塑性変形であってもよい。
【０００７】
このように構成した本考案の特徴によれば、メガネホルダは、メガネが宛がわれるホルダ本体にメガネの宛がった状態を保持するためのホールドアームが設けられている。この場合、ホールドアームは人手によって屈曲変形可能に形成されてホルダ本体から延びて構成されるとともに、下端支持体によって支持されるメガネの少なくとも中央部から上方となる位置に設けられる。これにより、メガネホルダは、メガネの大きさに応じてホールドアームを屈曲変形させてメガネをホルダ本体に宛がうことができるとともに、下端支持体によって支持されるメガネの少なくとも中央部から上方の部分を支持することができる。この結果、本考案に係るメガネホルダによれば、大きなメガネであっても安定的に保持することができる。
【０００８】
また、本考案の他の特徴は、前記メガネホルダにおいて、下端支持体は、ホルダ本体に対して変位自在に設けられていることにある。この場合、下端支持体は、ホルダ本体に対して回動自在に設けられるとよい。
【０００９】
このように構成した本考案の他の特徴によれば、メガネホルダは、下端支持体はホルダ本体に対して変位自在に設けられているため、下端支持体をメガネの大きさに応じて変位させてホルダ本体に対する位置を調節できる。この結果、本考案に係るメガネホルダによれば、大きなメガネであっても安定的に保持することができる。
【００１０】
また、本考案の他の特徴は、前記メガネホルダにおいて、ホールドアームは、ホルダ本体の両側部側から同ホルダ本体の中央部側にそれぞれ延びる左側ホールドアームと右側ホールドアームとで構成されており、左側ホールドアームおよび右側ホールドアームは、互いの先端部に同各先端部を互いに着脱自在に連結するためのアーム連結具がそれぞれ設けられていることにある。
【００１１】
このように構成した本考案の他の特徴によれば、メガネホルダは、アーム連結具によって互いに着脱自在な左側ホールドアームと右側ホールドアームとでメガネをホルダ本体に宛がうため、幅広い大きさのメガネを各メガネの大きさに応じて安定的に保持することができる。
【００１２】
また、本考案の他の特徴は、前記メガネホルダにおいて、アーム連結具は、左側ホールドアームと右側ホールドアームとを互いに上下方向に重ねた状態で着脱自在に連結することにある。
【００１３】
このように構成した本考案の他の特徴によれば、メガネホルダは、連結具によって左側ホールドアームと右側ホールドアームとを互いに上下方向に重ねた状態で連結するため、左側ホールドアームと右側ホールドアームと着脱する際に左側ホールドアームまたは右側ホールドアームがメガネ側に変位してメガネを汚損することが防止される。
【００１４】
また、本考案の他の特徴は、前記メガネホルダにおいて、さらに、ホルダ本体における宛がい面の上部中央部に張り出した状態で安定突起が形成されていることにある。
【００１５】
このように構成した本考案の他の特徴によれば、メガネホルダは、ホルダ本体における宛がい面の上部中央部に張り出した状態で安定突起が形成されているため、この宛がい部の両側のうちの一方または安定突起自体にメガネの上端部を位置させることによりメガネの位置ずれを防止して安定的に保持することができる。
【００１６】
また、本考案の他の特徴は、前記メガネホルダにおいて、宛がい面は、メガネに付着した汚れを拭き取るための布で構成されていることにある。この場合、宛がい面を構成する布としては、メガネに付着した手垢、皮脂、水分または埃などの汚れを拭き取ることができる樹脂製（例えば、ポリエステル材とナイロン材との混成材）の超極細繊維、所謂マイクロファイバを用いるとよい。
【００１７】
このように構成した本考案の他の特徴によれば、メガネホルダは、宛がい面に宛がわれたり、または擦られたりしたメガネのレンズ、フレームまたはテンプルに付着した汚れやゴミを拭き取ることができる。
【００１８】
また、本考案の他の特徴は、前記メガネホルダにおいて、ホールドアームは、少なくとも宛がい面に対向する部分がメガネに付着した汚れを拭き取るための布で構成されていることにある。この場合、ホールドアームを構成する布としては、メガネに付着した手垢、皮脂、水分または埃などの汚れを拭き取ることができる樹脂製（例えば、ポリエステル材とナイロン材との混成材）の超極細繊維、所謂マイクロファイバを用いるとよい。また、メガネホルダは、ホールドアームの外表面の全体をメガネに付着した汚れを拭き取るための布で構成することもできる。
【００１９】
このように構成した本考案の他の特徴によれば、メガネホルダは、ホールドアームに宛がわれたり、または擦られたりしたメガネのレンズ、フレームまたはテンプルに付着した汚れやゴミを拭き取ることができる。
【００２０】
また、本考案の他の特徴は、メガネホルダにおいて、ホルダ本体は、動物の胴体を模して構成されており、ホールドアームは、動物の前足を模して構成されており、下端支持体は、動物の後ろ足を模して構成されていることにある。この場合、動物には、人間、実在する動物、例えば、愛玩動物（イヌ、ネコ、小鳥、ねずみなど）、干支、各種野生動物（ライオン、カバ、キリン、コアラ、ラッコ、イルカ、クジラ、カメ、ヘビ、ワニ、カメレオンなど）のほか、龍や鳳凰などの架空の動物、さらには、アニメ、映画、ＴＶドラマ、童話、昔話などに登場するキャラクタや地域や団体のＰＲに使用されるマスコットキャラクタが含まれる。また、動物の前脚には手や鰭に相当する部分も含まれるとともに、後ろ足には鰭や尻尾に相当する部分も含まれるものである。
【００２１】
このように構成した本考案の他の特徴によれば、メガネホルダは、動物の外観を模して構成されているため、女性や子供にも親しみ易く部屋のインテリアとしても用いることができる。
【図面の簡単な説明】
【００２２】
【図１】本考案の一実施形態に係るメガネホルダの外観構成の概略を示した正面図である。
【図２】図１に示したメガネホルダの外観構成の概略を示した一部破断側面図である。
【図３】図２に示したメガネホルダにおける下端支持体が下方に垂れた状態を示す一部破断側面図である。
【図４】図２に示したメガネホルダに厚さの厚いメガネを保持させるためにメガネホルダを後方に傾斜させた状態を示す側面図である。
【図５】図４に示すメガネに厚さの厚いメガネを保持させた状態を示す側面図である。
【図６】本考案の変形例に係るメガネホルダの外観構成の概略を示した正面図である。
【考案を実施するための形態】
【００２３】
以下、本考案に係るメガネホルダの一実施形態について図面を参照しながら説明する。図１は、本考案に係るメガネホルダ１００の外観構成の概略を示した正面図である。また、図２は、図１に示したメガネホルダ１００の外観構成の概略を示した一部破断側面図である。このメガネホルダ１００は、公知の一般的なメガネ９０を一時的に保持させて保管するための器具である。
【００２４】
（メガネホルダ１００の構成）
メガネホルダ１００は、ホルダ本体１０１を備えている。ホルダ本体１０１は、メガネ９０を起立させた状態で保持するための構造体であり、メガネホルダ１００の設置面Ｇに起立する柱状に形成されている。より具体的には、ホルダ本体１０１は、図示しない机上や棚上の設置面Ｇに対して垂直方向に起立させたメガネ９０よりも高い高さに形成されるとともに正面視で同メガネ９０よりも広い横幅の柱状に形成されている。
【００２５】
このホルダ本体１０１は、クッション材１０１ａおよびウエイト１０１ｂを外皮材１０１ｃで包み込んで立体的形状に縫合して形成されている。これらのうち、クッション材１０１ａは、ホルダ本体１０１の全体を弾性的に形成しながら後述する宛がい面１０２にも弾性を付与するためのものであり、弾力性のあるポリエステル製の綿（わた）素材で構成されている。このクッション材１０１ａは、ホルダ本体１０１内におけるウエイト１０１ｂ上に充填されている。なお、クッション材１０１ａは、弾力性のある素材で構成されていればよく、ポリエステル製の綿素材以外の素材、例えば、スポンジ、ウレタン、低反発素材、樹脂製ビーズなどで構成することもできる。
【００２６】
ウエイト１０１ｂは、メガネホルダ１００を設置面Ｇ上に安定的に載置させるためのものであり、布製の袋体内に多数の樹脂製ビーズを充填して全体として弾性変形可能に構成されている。このウエイト１０１ｂは、ホルダ本体１０１内における底部に配置されている。なお、ウエイト１０１ｂは、ウエイト１０１ｂを全体として弾性変形可能に形成されていればよく、樹脂製ビーズの以外の材料、例えば、スポンジ、ウレタン、低反発素材などで構成することもできる。
【００２７】
外皮材１０１ｃは、クッション材１０１ａおよびウエイト１０１ｂをそれぞれ包んでホルダ本体１０１の外表面を構成するものであり、メガネ９０が接触したり擦られたりしてもキズなどの損傷を与えない肌触りの良い柔軟な生地（布地や革地）で構成されている。より具体的には、外皮材１０１ｃは、毛皮状素材（例えば、ファー、ボア、パイル、モヘアまたはシール）、ポリエステル製の超極細繊維で形成された布素材、ソフトレザーなどの革素材などで構成されている。
【００２８】
このホルダ本体１０１は、本実施形態においては、動物の外観を模した立体形状に形成されている。具体的には、ホルダ本体１０１は、クマの胴体の外観を模した略断面が楕円柱状の立体形状に形成されている。この場合、ホルダ本体１０１の底部は、設置面Ｇに対して安定的に載置するために平らに形成されている。
【００２９】
ホルダ本体１０１における前面には、宛がい面１０２が形成されている。宛がい面１０２は、起立した状態のメガネ９０が宛がわれる面であり、メガネ９０の接触面積に対応する大きさに広がる壁状に形成されている。より具体的には、宛がい面１０２は、斜めに起立させたメガネ９０におけるレンズ側の面に対応する大きさに形成されている。この場合、メガネ９０におけるレンズ側の面に対応するとは、メガネ９０におけるレンズ側の面の少なくとも半分以上の部分と対向する大きさに形成されていることをいう。
【００３０】
また、宛がい面１０２は、メガネ９０が接触したり擦られたりしてもキズなどの損傷を与えない柔軟な素材で弾力性を有する壁状に形成されている。本実施形態においては、宛がい面１０２は、ホルダ本体１０１と同じ素材で形成されている。すなわち、宛がい面１０２は、ホルダ本体１０１の一部、より具体的には、クマの胴体の外観を模したホルダ本体１０１における腰部、腹部、胸部および首部に掛けて形成されている。
【００３１】
ホルダ本体１０１における前面の下端部、換言すれば、宛がい面１０２の下端部には、下端支持体１０３が形成されている。下端支持体１０３は、宛がい面１０２に宛がわれて起立した状態のメガネ９０の下端部を支持する部分であり、ホルダ本体１０１の下端部から前方に張り出した状態でホルダ本体１０１の左右方向に並んで２つ設けられている。これらの下端支持体１０３は、それぞれ、主として、支持部１０３ａと自由連結部１０３ｂとを備えてホルダ本体１０１の下端部から前方に張り出した立体形状で構成されている。
【００３２】
支持部１０３ａは、メガネ９０の下端部を支持する部分であり、ホルダ本体１０１と同じクッション材をホルダ本体１０１と同じ外皮材で包んだ弾性を有する立体形状に形成されている。本実施形態においては、支持部１０３ａは、クマの後ろ足を模した立体形状に形成されている。自由連結部１０３ｂは、支持部１０３ａをホルダ本体１０１に対して可動的に連結する部分であり、支持部１０３ａの外表面を構成する外皮材が筒状に延びて形成されている。すなわち、下端支持体１０３は、支持部１０３ａの外表面を構成する外皮材のみで構成されている。
【００３３】
したがって、下端支持体１０３は、本実施形態においては、外皮材を靴下状の袋体に形成してこの袋体の底部にクッション材を詰めるとともに、この袋体の開口部側をホルダ本体１０１に縫合して構成されている。この場合、下端支持体１０３は、クッション材が詰められた底部部分が閉塞されてクッション材が自由連結部１０３ｂ側に移動しないように構成されている。これにより、下端支持体１０３は、図３に示すように、ホルダ本体１０１に対して連結部分（縫合部分）を回動中心としてホルダ本体１０１の前方と下方との間の範囲で自由に変位可能（破線矢印参照）となっている。
【００３４】
また、ホルダ本体１０１に対して左右一対の下端支持体１０３には、各支持部１０３ａにおける互いに対向する内側部分に支持体連結具１０４がそれぞれ設けられている。支持体連結具１０４は、左右一対の下端支持体１０３を互いに着脱自在に連結する部品であり、一対の面ファスナによって構成されている。なお、支持体連結具１０４は、２つの下端支持体１０３を互いに着脱自在に連結する部品であればよく、ボタンやマグネットで構成することもできる。この下端支持体１０３の上方には、ホルダ本体１０１から張り出して延びた状態で左側ホールドアーム１０５ａおよび右側ホールドアーム１０５ｂがそれぞれ設けられている。
【００３５】
左側ホールドアーム１０５ａおよび右側ホールドアーム１０５ｂは、ホルダ本体１０１の宛がい面１０２とともにメガネ９０を挟むための部分であり、正面視においてホルダ本体１０１の両側部からホルダ本体１０１の中央部に向かって屈曲しながらそれぞれ延びる２つの棒状体で構成されている。この場合、左側ホールドアーム１０５ａは正面視でホルダ本体１０１の図示左側から延びて形成されており、右側ホールドアーム１０５ｂは正面視でホルダ本体１０１の図示右側から延びて形成されている。そして、これらの左側ホールドアーム１０５ａおよび右側ホールドアーム１０５ｂは、下端支持体１０３によって支持されるメガネ９０の中央部以上の部分に対向するホルダ本体１０１の高さ方向の位置に設けられる。また、これらの左側ホールドアーム１０５ａおよび右側ホールドアーム１０５ｂは、宛がい面１０２に宛がったメガネ９０の外側を包囲した状態でホルダ本体１０１の中央部で互いに図示上下方向に重ね合わせることができる長さに形成されている。
【００３６】
これらの左側ホールドアーム１０５ａおよび右側ホールドアーム１０５ｂは、ホルダ本体１０１と同じクッション材をホルダ本体１０１と同じ外皮材で包むことによって人手で弾性的に屈曲させることができる立体形状に形成されている。本実施形態においては、これらの左側ホールドアーム１０５ａおよび右側ホールドアーム１０５ｂは、クマの前足を模した立体形状に形成されている。また、これらの左側ホールドアーム１０５ａおよび右側ホールドアーム１０５ｂの先各端部には、アーム連結具１０６がそれぞれ設けられている。
【００３７】
アーム連結具１０６は、ホルダ本体１０１の中央部で互いに図示上下方向に重ね合わせることができる長さに形成された２つの左側ホールドアーム１０５ａおよび右側ホールドアーム１０５ｂを互いに着脱自在に連結する部品であり、一対の面ファスナによって構成されている。この場合、一対の面ファスナによって構成されるアーム連結具１０６は、左側ホールドアーム１０５ａおよび右側ホールドアーム１０５ｂの各先端部の図示上下方向に互いに対向する面に設けられる。本実施形態においては、アーム連結具１０６は、左側ホールドアーム１０５ａの下面および右側ホールドアーム１０５ｂの上面にそれぞれ設けられる。なお、アーム連結具１０６は、左側ホールドアーム１０５ａおよび右側ホールドアーム１０５ｂを互いに着脱自在に連結する部品であればよく、ボタンやマグネットで構成することもできる。
【００３８】
また、左側ホールドアーム１０５ａおよび右側ホールドアーム１０５ｂの各上方におけるホルダ本体１０１の前面上部の中央部分には、安定突起１０７が形成されている。安定突起１０７は、宛がい面１０２に宛がわれた状態のメガネ９０の位置ずれを防止して安定的な保持状態とするための部分であり、ホルダ本体１０１の前面から山状に突出して形成されている。この安定突起１０７は、ホルダ本体１０１と同じクッション材をホルダ本体１０１と同じ外皮材で包んだ弾性を有する立体形状に形成されている。本実施形態においては、安定突起１０７は、クマの鼻の突出した部分を模した立体形状に形成されている。
【００３９】
（メガネホルダ１００の作動）
次に、このように構成されたメガネホルダ１００の作動について説明する。まず、メガネホルダ１００の使用者は、メガネ９０の保管に際してメガネホルダ１００を用意して机などの設置面Ｇに配置する。この場合、メガネホルダ１００は、ホルダ本体１０１の内部に設けられたウエイト１０１ｂが設置面Ｇに沿って変形して密着するとともに重石として機能するため安定的に載置される。
【００４０】
次に、使用者は、メガネ９０をメガネホルダ１００に保持させる。具体的には、使用者は、メガネホルダ１００における左側ホールドアーム１０５ａおよび右側ホールドアーム１０５ｂをアーム連結具１０６の連結状態を解いて左右方向に開いた後、テンプルを畳んだ状態のメガネ９０をレンズ面を宛がい面１０２側に向けた向きで下端支持体１０３上に起立した状態で載置する。この場合、使用者は、メガネ９０の下端部をメガネホルダ１００における正面視で左側の下側支持体１０３上に配置するとともに、メガネ９０の上端部をメガネホルダ１００の安定突起１０７に対して正面視で右側に配置した斜めに起立した状態で配置する。
【００４１】
次いで、使用者は、左側ホールドアーム１０５ａと右側ホールドアーム１０５ｂとをアーム連結具１０６を介して互いに連結する。この場合、メガネホルダ１００は、アーム連結具１０６が左側ホールドアーム１０５ａおよび右側ホールドアーム１０５ｂの各先端部の上下面に設けられているため、右側ホールドアーム１０５ｂを左側ホールドアーム１０５ａ上に載置することによりメガネ９０に負荷を与えることなく連結することができる。これにより、使用者は、メガネ９０をメガネホルダ１００に保持させることができる。
【００４２】
メガネ９０を保持した状態においては、メガネホルダ１００は、左側ホールドアーム１０５ａおよび右側ホールドアーム１０５ｂがメガネ９０を宛がい面１０２に宛がって宛がい面１０２とともに保持しているため、安定的に保持することができる。また、メガネホルダ１００は、メガネ９０の上端部を安定突起１０７と右側ホールドアーム１０５ｂとによって挟むことによりメガネ９０の位置ずれを防止して安定的に保持することができる。また、メガネホルダ１００は、メガネ９０の下端部をホルダ本体１０１の下端部と下端支持体１０３における支持部１０３ａとによって挟むことによりメガネ９０の位置ずれを防止して安定的に保持することができる。
【００４３】
次に、メガネホルダ１００からメガネ９０を取り出す際には、使用者は、メガネホルダ１００における左側ホールドアーム１０５ａおよび右側ホールドアーム１０５ｂのアーム連結具１０６による連結状態を解いて左右方向に開いて下端支持体１０３上に起立したメガネ９０を取り出す。これにより、使用者は、メガネ９０を使用することができる。なお、使用者は、メガネ９０を取り出す際、メガネ９０のレンズ面を宛がい面１０２に押し付けて擦ることによりレンズ面の汚れを除去することができる。
【００４４】
次に、テンプルを折り畳んだメガネ９０の厚さが厚い場合、より具体的には、起立させたメガネ９０の下端部が下端支持体１０３の支持部１０３ａの頂上部よりも外側にはみ出すメガネ９０を保持させる場合について説明する。このようにテンプルを折り畳んだメガネ９０の厚さが厚い場合においては、使用者は、まず、メガネホルダ１００における左側ホールドアーム１０５ａおよび右側ホールドアーム１０５ｂをアーム連結具１０６の連結状態を解いて左右方向に開いた後、テンプルを畳んだ状態のメガネ９０をレンズ面を宛がい面１０２側に向けた向きで下端支持体１０３上に起立した状態で載置する。
【００４５】
次いで、使用者は、図４に示すように、メガネホルダ１００におけるホルダ本体１０１をメガネ９０とともに一旦に後方に傾倒（破線矢印参照）させてホルダ本体１０１の底部の前端部側（下端支持体１０３側）を宙に浮かした後、ホルダ本体１０１の傾倒状態を少し戻す。これにより、メガネホルダ１００は、ホルダ本体１０１が後方に傾倒されることにより下端支持体１０３における支持部１０３ａが自由連結部１０３ｂによって鉛直方向に回動して垂れた後（破線矢印参照）、再び設置面Ｇに載置される。この場合、下端支持体１０３における支持部１０３ａが再びホルダ本体１０１の前方に戻る際、支持部１０３ａがメガネ９０の下端部に突っ掛る。
【００４６】
このため、メガネホルダ１００は、図５に示すように、ホルダ本体１０３の底部における後端部と下端支持体１０３における支持部１０３ａの底部とがそれぞれ設置面Ｇに接触するとともに、ホルダ本体１０３の底部における前端部側および下端支持体１０３における自由連結部１０３ｂがそれぞれ宙に浮いた状態となる。これにより、メガネホルダ１００は、メガネ９０の下端部を支持部１０３ａよりも前方にはみ出させることなく支持部１０３ａによってメガネ９０の長手方向（メガネ９０の横幅方向）に押圧した状態で支持することができる。
【００４７】
次いで、使用者は、左側ホールドアーム１０５ａと右側ホールドアーム１０５ｂとをアーム連結具１０６を介して互いに連結する。これにより、使用者は、厚さの厚いメガネ９０をメガネホルダ１００に安定的に保持させることができる。そして、使用者は、メガネホルダ１００からメガネ９０を取り出す際には、メガネホルダ１００における左側ホールドアーム１０５ａおよび右側ホールドアーム１０５ｂのアーム連結具１０６による連結状態を解いて左右方向に開いて下端支持体１０３上に起立したメガネ９０を取り出す。これにより、使用者は、メガネ９０を使用することができる。
【００４８】
上記作動説明からも理解できるように、上記実施形態によれば、メガネホルダ１００は、メガネ９０が宛がわれるホルダ本体１０１にメガネ９０の宛がった状態を保持するための左側ホールドアーム１０５ａおよび右側ホールドアーム１０５ｂがそれぞれ設けられている。この場合、左側ホールドアーム１０５ａおよび右側ホールドアーム１０５ｂは、人手によって屈曲変形可能に形成されてホルダ本体１０１から延びて構成されるとともに、下端支持体１０３によって支持されるメガネ９０の少なくとも中央部から上方となる位置に設けられる。これにより、メガネホルダ１００は、メガネ９０の大きさに応じて左側ホールドアーム１０５ａおよび右側ホールドアーム１０５ｂをそれぞれ屈曲変形させてメガネ９０をホルダ本体１０１に宛がうことができるとともに、下端支持体１０３によって支持されるメガネ９０の少なくとも中央部から上方の部分を支持することができる。この結果、本考案に係るメガネホルダ１００によれば、大きなメガネ９０であっても安定的に保持することができる。
【００４９】
さらに、本考案の実施にあたっては、上記実施形態に限定されるものではなく、本考案の目的を逸脱しない限りにおいて種々の変更が可能である。なお、下記各変形例において、上記実施形態と同様の構成部分については同じ符号を付して、その説明を省略する。
【００５０】
例えば、上記実施形態においては、使用者は、メガネ９０のレンズ面を宛がい面１０２に宛がった。しかし、使用者は、メガネ９０のテンプル側を宛がい面１０２に宛がってもよい。また、使用者は、メガネ９０の使用状態における上端面側や下端面側を宛がい面１０２に宛がうこともできる。
【００５１】
また、上記実施形態においては、使用者は、メガネ９０の上端部側を安定突起１０７の図示右側に配置した。しかし、使用者は、メガネ９０の上端部側を安定突起の１０７の図示左側に配置するとともにメガネ９０の下端部側を図示右側の下端支持体１０３上に配置するようにしてもよい。さらに、使用者は、メガネ９０の上端部側を安定突起１０７の表面に宛がってもよい。これによれば、メガネ９０は、左側ホールドアーム１０５ａおよび右側ホールドアーム１０５ｂ側に押圧されるため、より安定的に保持される。
【００５２】
また、上記実施形態においては、メガネホルダ１００は、メガネ９０を宛がい面１０２とともに左側ホールドアーム１０５ａおよび右側ホールドアーム１０５ｂによって挟持するように構成した。しかし、左側ホールドアーム１０５ａおよび右側ホールドアーム１０５ｂは、メガネ９０を宛がい面１０２とともに挟持できればよいため、必ずしも２つで構成する必要はなく少なくとも１つのホールドアームで構成されていればよい。また、上記実施形態においては、左側ホールドアーム１０５ａおよび右側ホールドアーム１０５ｂは、弾性的に曲げ変形するように構成したが、針金のように変形状態が任意の形状で維持される塑性変形するように構成することができる。
【００５３】
また、上記実施形態においては、下端支持体１０３は、ホルダ本体１０１に対して変位自在に構成した。しかし、下端支持体１０３は、ホルダ１０１に対して固定的に設けることもできる。
【００５４】
また、上記実施形態においては、ホルダ本体１０１の前面における上部中央部に安定突起１０７を設けた。しかし、安定突起１０７は、省略することもできる。
【００５５】
また、上記実施形態においては、宛がい面１０２は、ホルダ本体１０１と同じ素材で構成した。しかし、宛がい面１０２は、例えば、図６に示すように、メガネ９０の表面に付着した汚れを積極的に拭き取ることができる布材で構成することもできる。この場合、宛がい面１０２を構成する布としては、メガネ９０に付着した手垢、皮脂、水分または埃などの汚れを拭き取ることができる樹脂製（例えば、ポリエステル材とナイロン材との混成材）の超極細繊維、所謂マイクロファイバを用いることができる。なお、図６においては、クマを模したメガネホルダ１００における胸部から腹部に掛けて宛がい面１０２が形成されている。
【００５６】
また、メガネホルダ１００は、左側ホールドアーム１０５ａおよび右側ホールドアーム１０５ｂにおける少なくとも宛がい面１０２に対向する部分にメガネ９０の表面に付着した汚れを積極的に拭き取ることができる布材で構成することもできる。具体的には、図６に示すように、左側ホールドアーム１０５ａおよび右側ホールドアーム１０５ｂにおける内側部分をメガネ９０に付着した手垢、皮脂、水分または埃などの汚れを拭き取ることができる樹脂製（例えば、ポリエステル材とナイロン材との混成材）の超極細繊維、所謂マイクロファイバで構成することができる。この場合、メガネホルダ１００は、左側ホールドアーム１０５ａおよび右側ホールドアーム１０５ｂの各外表面の全体をマイクロファイバで構成することもできる。
【００５７】
これらの場合、使用者は、メガネ９０をメガネホルダ１００に保持させることによって、またはメガネ９０を宛がい面１０２、左側ホールドアーム１０５ａおよび右側ホールドアーム１０５ｂにそれぞれ擦り付けることによってメガネ９０のレンズ、フレームまたはテンプルに付着した汚れやゴミを拭き取ることができる。なお、図６においては、メガネホルダ１００における左側ホールドアーム１０５ａおよび右側ホールドアーム１０５ｂをそれぞれ開いて内側部分が見えるように示している。また、図６においては、支持部１０３ａに隠れる宛がい面１０２を破線で示している。また、図６においては、宛がい面１０２、左側ホールドアーム１０５ａおよび右側ホールドアーム１０５ｂをそれぞれ開いて内側部分をクロスハッチングで示している。
【００５８】
また、上記実施形態においては、メガネホルダ１００は、クマの外観を模したぬいぐるみで構成した。しかし、メガネホルダ１００は、必ずしも動物の外観を模して構成する必要はないとともに、動物の外観を模す場合にはクマ以外の動物の外観を模して構成することができる。
【００５９】
また、メガネホルダ１００が保持するメガネ９０としては、視力を矯正するためのメガネのほかに、特定の光線を遮断するサングラス、文字や画像情報を表示するメガネ型の表示装置が含まれるものである。
【符号の説明】
【００６０】
Ｇ…設置面、
９０…メガネ、
１００…メガネホルダ、
１０１…ホルダ本体、１０１ａ…クッション材、１０１ｂ…ウエイト、１０１ｃ…外皮材、１０２…宛がい面、１０３…下端支持体、１０３ａ…支持部、１０３ｂ…自由連結部、１０４…支持体連結具、１０５ａ…左側ホールドアーム、１０５ｂ…右側ホールドアーム、１０６…アーム連結具、１０７…安定突起。
【図１】
0003214127.tif 000003
【図２】
0003214127.tif 000004
【図３】
0003214127.tif 000005
【図４】
0003214127.tif 000006
【図５】
0003214127.tif 000007
【図６】
0003214127.tif 000008